(57)【要約】【課題】柔軟に湾曲し、しかも強度の高い帯状体を備える帯状装身具を提供すること。【解決手段】帯状装身具はメッシュバンド１５と、これを被覆する被覆部材１７とよりなる帯状体１２を備える。被覆部材は、皮革、合成樹脂、ゴムから選ばれる素材から成る。よって、柔軟に湾曲し、しかも強度の高い帯状体１２が得られる。帯状体１２は、メッシュバンド１５とケースとの連結を可能にする中継部品１６を備えることができる。メッシュバンド１５と中継部品１６とのつなぎ目が視認されないように、被覆部材１７は、メッシュバンド１５と中継部品１６とのつなぎ目を覆うように配置されることが好ましい。【選択図】　　　図１５
2004073346.tif 000002
【特許請求の範囲】
【請求項１】
帯状体を備える帯状装身具であって、
帯状体が、メッシュバンドと、これを被覆する被覆部材とよりなる帯状装身具。
【請求項２】
請求項１に記載の帯状装身具であって、
被覆部材は皮革、合成樹脂、ゴムから選ばれる素材から成る帯状装身具。
【請求項３】
バンドと連結対象部品とを連結する中継部品を含む帯状体を備える帯状装身具であって、
皮革、合成樹脂、ゴムから選ばれた素材から成る、少なくとも１つの被覆部材で、
少なくとも中継部品とバンドのつなぎ目を覆うように、
中継部品とバンドとが共につつまれた帯状体を備える帯状装身具。
【請求項４】
請求項３に記載の帯状装身具であって、
バンドがメッシュバンドである帯状装身具。
【請求項５】
請求項３、あるいは４のいずれかに記載の帯状装身具であって、
バンドと中継部品とを機械的に係合させる係合手段を備えた帯状装身具。
【請求項６】
請求項５に記載の帯状装身具であって、
係合手段が、バンドと中継部品のいずれか一方に形成された凸部と、他方に形成され凸部が挿入される凹部とを含む帯状装身具。
【請求項７】
請求項６に記載の帯状装身具であって、
凸部と凹部とが固着される帯状装身具。
【請求項８】
請求項４に記載の帯状装身具であって、
中継部品に、バンドを載置する載置部が形成された帯状装身具。
【請求項９】
請求項８に記載の帯状装身具であって、
バンドの先端に厚みが薄くなった薄肉部が形成され、薄肉部が載置部に配置された帯状装身具。
【請求項１０】
請求項５から９のいずれかに記載の帯状装身具であって、中継部品に対してバンドが下方に傾斜して取付けられた帯状装身具。
【請求項１１】
請求項１０に記載の帯状装身具であって、
中継部品の載置部が下方に傾斜して形成された帯状装身具。
【請求項１２】
請求項１から４のいずれかに記載の帯状装身具であって、バンド、あるいはバンドと中継部品の上面、側面、下面を包む表側被覆部材と、表側被覆部材の合わせ目を覆う裏側被覆部材とを備えた帯状装身具。
【請求項１３】
請求項１から４のいずれかに記載の帯状装身具であって、バンドが被覆部材と固着される、あるいはバンドと中継部品とが被覆部材と固着された帯状装身具。
【請求項１４】
請求項３、あるいは４のいずれかに記載の帯状装身具であって、
中継部品と連結対象部品とを連結する連結ピンが挿通される連結孔を中継部品が備え、
中継部品における、被覆部材で覆われずに露出する露出面に、連結孔が開口する帯状装身具。
【請求項１５】
請求項１４に記載の帯状装身具であって、
中継部品が、連結対象部品に形成された凹部内で連結対象部品と連結され、
中継部品の露出面が、外方より視認されないように凹部内に配置された帯状装身具。
【請求項１６】
請求項３、あるいは４のいずれかに記載の帯状装身具であって、
中継部品と連結対象部品とがネジで連結され、
かつネジの先端がバンド内部に食い込む帯状装身具。
【請求項１７】
請求項１６に記載の帯状装身具であって、
連結対象部品が、中留の表カバーである帯状装身具。
【発明の詳細な説明】
【０００１】
【発明の属する技術分野】
本発明は、腕時計、ブレスレット、ベルト、あるいはネックレスなどの帯状装身具に関する。
【０００２】
【従来の技術】
腕時計及びブレスレットなどの帯状装身具のバンドには、天然皮革又は合成皮革から成る皮革製バンド、合成樹脂製バンド、あるいはゴム製バンドなど、柔軟に屈曲するバンドがしばしば用いられる。これらの柔軟素材から成る柔軟性バンドは、帯状装身具を携帯する携帯者の身体に沿って柔軟に湾曲するので、装着感が良いという利点を備える。その反面、これら柔軟性バンドは、柔軟な素材であるがゆえに、傷つきやすく、はなはだしくは外力の負荷により切断されてしまうという欠点がある。
【０００３】
この欠点を解消する試みとして、図２２に示すように、柔軟性バンド、たとえば皮革バンド１の内部に金属板２を備えた帯状体が知られている。
同様な試みとして、図２３に示すように、柔軟性バンド、たとえば皮革バンド４の内部に、合成樹脂から成る網状シート３を内部に備えた帯状体も知られている。
これらの帯状体は、たとえば腕時計バンドとして用いられる。
【０００４】
また、帯状装身具では、バンドが、帯状装身具を構成する他の部品に連結されることが多い。たとえば、帯状装身具が腕時計の場合には、バンドが連結される連結対象部品としては、ケース又は中留がある。そして、バンドと連結対象部品とを連結させるために、別体の中継部品がバンドに取付けられることがある。
【０００５】
たとえば、図２４に示すように、メッシュバンド５の先端に、中継部品として連結部材６が、ねじ７により取付けられたメッシュバンドが知られている。この連結部材６は、金属板を曲げて筒状部が形成されている。そして、連結部材の筒状部に挿通された、ばね棒などの連結ピンによって、メッシュバンドがケースに連結される。
【０００６】
【発明が解決しようとする課題】
しかしながら、金属板を内部に備える帯状体は、帯状体の強度は向上されたものの、金属板が曲がった状態に永久変形しやすい。そして、金属板がこのように塑性変形すると、もはや帯状体は柔軟に湾曲しなくなるという問題がある。
これに対して、合成樹脂から成る網状シートを内部に備えた帯状体では、網状シートが皮革と共に柔軟に湾曲し続ける。しかしながら、過大な外力が帯状体に負荷されると、網状シートが皮革と共に切れてしまうという問題がある。
【０００７】
他方、中継部品とバンドから成る帯状体は、中継部品とバンドとのつなぎ目が見えるため、帯状装身具の美観を著しく損ねる。また、中継部品とバンドとのつなぎ目の段差が、携帯者の肌に当たって、帯状装身具の装着感が悪くなるという問題がある。
【０００８】
そこで本発明の第１の目的は、柔軟に湾曲し、かつ強度が高い帯状体を備える帯状装身具を提供することにある。
さらに、本発明の第２の目的は、中継部品とバンドから成る帯状体を備える帯状装身具において、見栄えが良く、装着感の良い帯状体を備える帯状装身具を提供することにある。
【０００９】
【課題を解決するための手段】
第１の目的を達成するため、本発明の請求項１による帯状装身具は、メッシュバンドと、之を被覆する被覆部材とよりなる帯状体を備える。
メッシュバンドは、過大な外力が負荷されても切れにくく、かつ折り曲げても柔軟に湾曲して永久変形しにくい。よって、柔軟に湾曲し、かつ強度が高い帯状体を備えた帯状装身具を提供できる。
また、本発明の請求項２によれば、被覆部材は、皮革、合成樹脂、ゴムから選ばれる素材からなる。
これにより、天然皮革又は合成皮革から成る皮革製バンド、合成樹脂製バンド、あるいはゴム製バンドなどの柔軟性バンドの外観を備えながらも、柔軟に湾曲し、かつ強度が高い帯状体を備えた帯状装身具を提供できる。
【００１０】
また、第２の目的を達成するため、本発明の請求項３による帯状装身具は、少なくとも中継部品とバンドのつなぎ目を覆うように、皮革、合成樹脂、ゴムから選ばれる素材から成る、少なくとも１つの被覆部材で、中継部品とバンドとが共につつまれた帯状体を備える。
これにより、中継部品とバンドとのつなぎ目が被覆部材で隠されるため、帯状装身具の外観が良くなるばかりか、中継部品とバンドとのつなぎ目の段差が携帯者の肌に当たらないので、帯状装身具の装着感も改善される。よって、見栄えが良く、装着感の良い帯状体を備える帯状装身具を提供できる。
また、本発明は、請求項４によれば、中継部品と共に被覆部材でつつまれるバンドはメッシュバンドであってもよい。
【００１１】
また、請求項５によれば、本発明の帯状装身具は、バンドと中継部品とを機械的に係合させる係合手段を備えることができる。
請求項６によれば、この係合手段として、バンドと中継部品のいずれか一方に形成された凸部と、他方に形成されて凸部が挿入される凹部とを含む手段を採用できる。これにより、バンドと中継部品とが強固に取付けられる。
さらに、請求項７によれば、凸部と凹部とを固着すれば、バンドと中継部品とが、より強固に取付けられる。固着手段としては、接着、ロー付け、溶接などの手段が用いられる。
【００１２】
また、請求項８によれば、本発明の帯状装身具は、中継部品に、バンドを載置する載置部が形成される。これにより、バンドと中継部品との位置決めが容易なので、バンドと中継部品とを含む帯状体を容易に製造できる。
さらに、請求項９によれば、バンドの先端に厚みが薄くなった薄肉部が形成され、薄肉部が載置部に配置される。すると、載置部の上にバンドを取付けても、帯状体の厚みが厚くならない。
【００１３】
また、請求項１０によれば、中継部品に対してバンドが傾斜して取付けられる。すると、連結対象部品に対して、帯状体が傾斜して取付けられるので、帯状装身具が携帯者の身体の湾曲に沿いやすい。よって、良好な装着感が得られる。
これは、連結対象部品、たとえば腕時計ケースなどが、帯状装身具の長手方向に沿って長い場合に有効である。
これを達成するためには、請求項１１によれば、中継部品に対して載置部が傾斜して形成されてもよい。
【００１４】
また、請求項１２によれば、本発明の帯状装身具は、バンド、あるいはバンドと中継部品の上面、側面、下面を包む表側被覆部材と、表側被覆部材の合わせ目を覆う裏側被覆部材とを備える。すると、表側被覆部材の合わせ目が視認されないので、帯状装身具の美観を損ねない。このように、帯状体の被覆部材は、複数であってもよい。
また、請求項１３によれば、被覆部材がバンドと固着される。あるいは、バンドと中継部品とが被覆部材と固着される。固着手段には、接着剤、あるいは両面テープなどの接着テープを用いることが好ましい。すると、接着剤や接着テープから成る接着層が帯状体の湾曲に追従し、被覆部材が剥がれることがない。
【００１５】
また、請求項１４によれば、中継部品と連結対象部品とを連結する連結ピンが挿通される連結孔を中継部品が備える。そして、中継部品における、被覆部材で覆われずに露出する露出面に、この連結孔が開口する。
これにより、連結孔を中継部品に穿設するに、被覆部材に穴を開ける必要がないので、加工が容易になる。
この場合、請求項１５によれば、中継部品が、連結対象部品に形成された凹部内で連結対象部品と連結されて、中継部品の露出面が、外方より視認されないように凹部内に配置されることが好ましい。すると、携帯者には、露出面が見えず、被覆部材のみが見えるので、帯状体の外観が、皮革、合成樹脂、あるいはゴムに視認される。
【００１６】
また、請求項１６によれば、中継部品と連結対象部品とがネジで連結され、かつネジの先端がバンド内部に食い込む。すると、中継部品と帯状体が強固に連結される。
この場合、請求項１６に記載されたように、連結対象部品は、中留の表カバーであってもよい。
【００１７】
【発明の実施の形態】
図１は、本発明を腕時計に適用した実施形態を示す正面図、図２は側面図である。
帯状装身具としてのその腕時計は、５個の時刻表示部を有するケース１１と、その両端に連結された帯状体１２、１３と、両帯状体を連結する折畳式中留１４とよりなる。ここでケース１１及び中留１４、は帯状体１２、１３にとっては連結対象部品である。
【００１８】
図３は、帯状体１２の一部を示す分解斜視図であるが、他方の帯状体１３も同一構造である。よって、以下帯状体１２についてのみ説明する。
帯状体１２は、芯にあるメッシュバンド１５と、その先端に固定された中継部品１６と、その表側被覆部材１７と、裏側被覆部材１８とよりなる。
被覆部材１７と１８は、帯状体１２に皮バンドの外観を持たせるような皮革類、即ち天然又は合成皮革から成る。被覆部材は、合成樹脂、ゴム等で作られてもよい。
【００１９】
図４に示すように、メッシュバンド１５の端部下側に、段部２０が設けられ、その上部に薄肉部２１が形成されている。薄肉部２１は、メッシュバンドの開放端をスライス加工したり、あるいはプレス加工したりして形成される。
薄肉部２１の端面２２は、下部が後退して傾斜する。すなわち、図１２に示すように、端面２２は、この端面２２と薄肉部２１の上面との成す角が鋭角となるような斜面となっている。薄肉部２１の裏側には凹部２３が形成されている。凹部２３は、円柱状にへこんだ窪みである。
【００２０】
一方、メッシュバンド１５を腕時計のケース１１に連結するための中継部品１６は、ステンレス、黄銅、チタン、チタン合金などの金属製から成る。
図５、６及び７に示すように、中継部品１６の後部には、下方に傾斜した載置部２４を有するバンド連結部２５が備えられる。中継部品１６における前部の端面１６ａには、バンド連結部２５より幅の狭い、ほぼ矩形のケース連結部２６が突出する。
ここで、前とは図６と７の右側、後ろとは図６と７の左側を示す。また、上下とは、図面の上下と一致する。
載置部２４には、メッシュバンド１５の凹部２３に挿入される、凸部２７が形成される。凸部２７は、凹部２３と合致する形状となるように、円柱状に突出する。
【００２１】
また、連結部２６は、後述のケース１１の凹部への挿入を容易にするための先細り部２８を有する。先細り部２８は、矩形に突出するケース連結部２６の開放端にある２つの角を斜めに切り欠いて形成される。この先細り部２８に、連結ピンが挿入される連結孔が形成される。連結孔は、長くて小径の連結孔３０、及び孔３０の同軸上にあり、孔３０と連通する大径の孔３１が形成されている。
そして、図１２に示すように、中継部品１６がメッシュバンド１５に連結された状態においては、その境界の上部に段部２９が形成されるように、中継部品の厚さが設定されている。詳しくは、メッシュバンド１５における薄肉部２１の先端の上部にある縁部が、中継部品１６の上面より突出することで、段部２９が形成される。
【００２２】
図３に示すように、表側被覆部材１７は、メッシュバンド１５の上面を被う上被部３２、バンドの側面を覆う側被部３３、バンドの下面を覆う下被部３４、及び中継部品１６の上面を被う中継上被部３５よりなる。裏側被覆部材１８は、下被部３６及び中継下被部３７よりなる。
【００２３】
次に帯状体１２の製造方法について説明する。
先ず、図８に示すように、中継部品１６の載置部２４上に、メッシュバンド１５の薄肉部２１が載せられる。ろう材を挟んで凸部２７が凹部２３内に挿入されて、凸部２７と凹部２３とが機械的に係合される。次いで、誘導加熱により、ろう材を加熱溶融して、凸部２７と凹部２３とが固着される。
あるいは、凸部２７が凹部２３内に挿入された後、凸部２７と凹部２３とがスポット溶接により固定されてもよい。
【００２４】
次に、図９及び図１０に示すように、メッシュバンド１５の全表面と中継部品１６の上下面とに、接着剤として両面テープ４０が付着され、両面テープ４０による接着層が形成される。この接着層上に表側被覆部材１７が付着される。
すなわち、図３に示す上部３２と中継上被部３５が、メッシュバンド１５の上面及び中継部品１６の上面に接着される。側被部３３がバンドの側面に、下被部３４がバンドの下面に接着される。この時、両下被部３４は、バンドの下面において、その端面が突き合わせとなる。
【００２５】
次に、バンドの下面において、その端面が突き合わせとなった下被部３４の下面、および両面テープ４１が貼られ、接着層が形成される。この接着層に裏側被覆部材１８の下被部３６が接着される。そして、中継部品１６の下面にすでに形成された接着層に、中継下被部３７が接着される。これにより、帯状体１２が完成する。
この例では、接着層の形成に両面テープが用いられたが、たとえば接着剤の塗布を用いるなど、他の手段によって、接着層が形成されてもよい。
【００２６】
完成帯状体は図９、１１、および１２に示すように、中継部品１６における端面１６ａおよびケース連結部２６の外周面２６ａを除いて、全て表裏側被覆部材１７、１８によって被われる。被覆部材によって覆われない端面１６ａおよび外周面２６が露出面であり、この露出面であるケース連結部２６の外周面２６ａに連結孔３０と３１が開口する。
さらに、中継部品１６におけるバンド連結部２５とメッシュバンド１５とのつなぎ目も、全て表裏側被覆部材１７、１８によって被われるので、このつなぎ目は視認されない。また、下被部３４の突き合せ部は下被部３６によって隠され、外観を損ねることはない。
そして、図１２に示すように、中継部品１６の載置部２４の傾斜とメッシュバンド１５の端面２２の傾斜によりメッシュバンドは中継部品１６に対し下方に傾斜して連結される。また、境界上部の段部２９により表側被覆部材１７にも段部４５が形成される。
【００２７】
図１３は、ケース１１と帯状体１２の連結部を示す斜視図である。
ケースの両端部には、帯状体１２の中継部品１６のケース連結部２６が挿入される凹部５０が形成される。凹部５０は、図示されるように、ケース１１の開放端面と下方に開口して形成される。結果、凹部は、ケース１１の上面である屋根部１１ａと、ケースの２つの側面である２つの側壁１１ｂに囲まれる。このケース１１の両側壁部１１ｂには、中継部品１６の孔３０、３１に対向する孔５１が形成される。
【００２８】
次に、ケース１１と帯状体１２の連結方法について説明する。
先ず、図１３に示す割りパイプ５３が、中継部品１６の大径の孔３１に挿入された状態で、図１４に示すように、中継部品１６のケース連結部２６が凹部５０に挿入される。続いて、孔５１及び孔３０に連結ピン５４が圧入される。ピン５４は、割りパイプ５３内に挿入され、割りパイプ５３の外壁が孔３１の内壁に圧接するように、割りパイプが拡大される。ピンはパイプ５３を貫通して、他方の孔３０に挿入されて、ケース１１と帯状体１２とが連結される。
この例では、ケース１１と帯状体１２との連結に、連結ピン５４と割りパイプ５３とが用いられたが、ばね棒などを用いた他の公知の連結手段が採用されてもよい。
【００２９】
ケース１１と帯状体１２とが連結された状態では、図１４に示すように、帯状体１１の露出面は、ケース１１の凹部５０内に配置される。そして、ケース１１の両側壁１１ｂ、および屋根部１１ａを含むケース１１に隠されて、帯状体１１の露出面は視認されない。
また、図１５に示すように、帯状体１２の段部４５が、ケース１１の屋根部１１ａの端部に当接する。さらに、帯状体１２における中継部品１６のケース連結部２６の開放端面が、ケース１１の凹部５０の内壁に当接する。このようなケース１１と帯状体１２との干渉により、帯状体１２がケース１１に対して、上方に回動すること、かつ下方に回転することが抑止される。よって、帯状体１２の回転により、帯状体１１の露出面が凹部５０の外方に露出され、視認されることはない。
また、図１５に見るように、帯状体１２の段部４５が、ケース１１の端部に当接した状態で、帯状体１２の上面と、ケース１１の屋根部１１ａの上面とは、ほぼ同一面を成すので、帯状装身具の外観が向上する。
【００３０】
そして、帯状体１２はケース１１より斜め下方に下った傾斜状態に保持され、ケース１１と帯状体１２とが手首の湾曲に沿うようになっている。本実施形態のように、ケース１１が帯状装身具の長手方向に長く、帯状装身具が手首に沿いにくい場合、このように帯状体１１が傾斜状態に保持されることは、帯状装身具を手首に沿わせるために特に有効である。
【００３１】
製造上の寸法誤差などにより、図１６に示すように、帯状体１２がケース１１対して回転し、帯状体１２がケース１１より離れて曲がり得る場合がある。このような場合、ケース１１と帯状体１２との間に隙間Ｓが生じるが、中継上被部３５があるので、中継部品１６の金属面、すなわち中継部品１６の露出面は視認されない。よって、装身具の携帯者には、帯状体１２が従来の皮革バンドであるかのように視認される。
【００３２】
また、図１７に示すように、帯状体１２は、表側被覆部材１７に形成された第２の側被部１７ａによって、中継部品１６の露出面１６ａが覆われるようにした帯状体であってもよい。すると、図１６に示すように、帯状体１２がケース１１対して回転しても、露出面１６ａが見えない。よって、図１７に示す構成は、装身具の美観が改善されるため、さらに好ましい。
【００３３】
次に、帯状体１２と折畳式中留１４との連結について説明する。
図１８に示すように、中留１４は下板５６の両端にピンで回動可能に連結された一対の中板５７と、中板５７の他端それぞれに関節部品５８を介してばね棒６０により連結された一対の表カバー６１とよりなる。中留１４は、観音開き式中留と呼ばれる。
【００３４】
下板５６は、図示されるように、帯状装身具の長手方向に沿って、隙間をもって並列する２本のレール部から成る。中板５７の先端下部には、凹部６２が形成される。
図２１に示すように、中留を閉じた状態において、下板５６における、凹部６２に対応する位置それぞれに、下板５６に固定された軸６３がそれぞれ設けられる。パイプ６４の内部を軸６３が挿通するように、パイプ６４が配置される。よって、軸６３には、パイプ６４が回転可能に係合して設けられる。軸６３は、下板５６における２本のレール部の間に架橋される。よって、パイプ６４も、下板５６における２本のレール部の間に配置される。中板５７を閉じた時、凹部６２がパイプ６４の外壁に圧接する。よって、中板５７が下板５６に係合し、中留が閉じた状態に錠止される。
【００３５】
関節部品５８は二又形状の部品で、中板５７の凸部６５が、関節部品５８の二又内に挿入される。この状態で、ばね棒６０のパイプ６０ａが、関節部品５８の孔６６及び中板５７の孔６７に挿入される。次に、ばね棒６０のピン６０ｂが押し込まれた状態で、関節部品５８が表カバー６１内に挿入され、ピン６０ｂが表カバーの孔６８に挿入されて係合される。よって、中留が完成する。
【００３６】
表カバー６１は、金属板をほぼ矩形の箱型に折り曲げて形成される。図１９に示すように、一対の下板部７０により、基部が筒状に形成される。この筒状内部に、帯状体１２の端部が挿入できるようになっている。そして、各下板部７０にそれぞれに、ねじ孔７１がそれぞれ形成されている。
【００３７】
次に、帯状体１２と中留１４との連結方法について説明する。
図１９に示すように、帯状体１２は手首の周長に合わせて、端片１２ａが帯状体１２より切断されて分離される。帯状体１２における切断された端部１２ｂを表カバー６１の筒部７２内に挿入する。次に、尖鋭な先端を有する２本の埋込ねじ７３が、各ねじ孔７１に螺入される。
ここで、図２１に示すように、ねじ７３の先端が、帯状体１２のメッシュバンド１５の中に食い込む。よって、帯状体１２と中留１４の表カバー６１とが、強固に連結される。
【００３８】
この連結手段の例では、連結対象部品である中留として観音開き中留を用いたが、三つ折れ中留の表カバーと帯状体との連結も、この連結手段によって同様に成し得る。また、この連結手段は、ケースと帯状体との連結にも適用され得る。さらに、連結対象部品は、ケースや中留に限らず、帯状体が連結される対象となる部品であれば、どのような部品であってもよい。
【００３９】
【発明の効果】
本発明による帯状装身具において、メッシュバンドは、過大な外力が負荷されても切れにくく、かつ折り曲げても柔軟に湾曲して永久変形しにくいので、天然皮革又は合成皮革からなる皮革製バンド、合成樹脂製バンド、あるいはゴム製バンドなどの柔軟性バンドの外観を備えながらも、柔軟に湾曲し、かつ強度が高い帯状体を供えた帯状装身具を提供できる。
また、本発明による帯状装身具は、少なくとも中継部品とバンドのつなぎ目を覆うように、皮革、合成樹脂、ゴムから選ばれる素材から成る、少なくとも１つの被覆部材で、中継部品とバンドとが共につつまれている。
これにより、中継部品とバンドとのつなぎ目が被覆部材で隠されるため、帯状装身具の外観が良くなるばかりか、中継部品とバンドとのつなぎ目の段差が携帯者の肌に当たらないので、帯状装身具の装着感も改善される。よって、見栄えが良く、装着感の良い帯状体を備える帯状装身具を提供できる。
【図面の簡単な説明】
【図１】本発明を腕時計に適用した実施形態を示す正面図側面図である。
【図２】本発明を腕時計に適用した実施形態を示す側面図である。
【図３】本発明に係わる帯状体の一部を示す分解斜視図である。
【図４】本発明に係わるメッシュバンドの端部を示す斜視図である。
【図５】本発明に係わる中継部品を示す斜視図である。
【図６】本発明に係わる中継部品の平面図である。
【図７】本発明に係わる中継部品の側面図である。
【図８】本発明に係わるメッシュバンドと中継部品の結合状態を示す斜視図である。
【図９】本発明に係わる帯状体を示す斜視図である。
【図１０】本発明に係わる帯状体の断面図である。
【図１１】本発明に係わる帯状体の平面図である。
【図１２】本発明に係わる帯状体の長手方向断面図である。
【図１３】本発明に係わる帯状体とケースを示す斜視図である。
【図１４】本発明に係わる帯状体とケースの連結状態の断面図である。
【図１５】本発明に係わる帯状体とケースの一部断面平面図である。
【図１６】本発明に係わる帯状体が過度に回転された状態を示す断面図である。
【図１７】本発明に係わる他の帯状体を示す斜視図である。
【図１８】本発明に係わる中留と帯状体を示す斜視図である。
【図１９】本発明に係わる帯状体を中留に連結する方法を示す斜視図である。
【図２０】本発明に係わる帯状体と中留の連結状態を示す斜視図である。
【図２１】本発明に係わる帯状体と中留の連結状態を示す断面図である。
【図２２】従来の帯状体の斜視図である。
【図２３】従来の帯状体の斜視図である。
【図２４】従来の帯状体の斜視図である。
【符号の説明】
１　　　　　　皮革バンド
２　　　　　　金属板
３　　　　　　網状シート
４　　　　　　皮革バンド
５　　　　　　メッシュバンド
６　　　　　　連結部材
７　　　　　　ねじ
１１　　　　ケース
１２　　　　帯状体
１２ａ　　端片
１２ｂ　　端部
１３　　　　帯状体
１４　　　　折畳式中留
１５　　　　メッシュバンド
１６　　　　中継部品
１７　　　　表側被覆部材
１８　　　　裏側被覆部材
２０　　　　段部
２１　　　　薄肉部
２２　　　　端面
２３　　　　凹部
２４　　　　載置部
２５　　　　連結部
２６　　　　連結部
２７　　　　凸部
２８　　　　先細り部
２９　　　　段部
３０　　　　小径の連結孔
３１　　　　大径の孔
３２　　　　上被部
３３　　　　側被部
３４　　　　下被部
３５　　　　中継上被部
３６　　　　下被部
３７　　　　中継下被部
４０　　　　両面テープ
４１　　　　両面テープ
４５　　　　段部
５０　　　　凹部
５１　　　　孔
５３　　　　割りパイプ
５４　　　　連結ピン
５６　　　　下板
５７　　　　中板
５８　　　　関節部品
６０　　　　ばね棒
６０ａ　　パイプ
６０ｂ　　ピン
６１　　　　表カバー
６２　　　　凹部
６３　　　　軸
６４　　　　パイプ
６５　　　　凸部
６６　　　　孔
６７　　　　孔
６８　　　　孔
７０　　　　下板部
７１　　　　ねじ孔
７２　　　　筒部
７３　　　　埋込ねじ
【図１】
2004073346.tif 000003
【図２】
2004073346.tif 000004
【図３】
2004073346.tif 000005
【図４】
2004073346.tif 000006
【図５】
2004073346.tif 000007
【図６】
2004073346.tif 000008
【図７】
2004073346.tif 000009
【図８】
2004073346.tif 000010
【図９】
2004073346.tif 000011
【図１０】
2004073346.tif 000012
【図１１】
2004073346.tif 000013
【図１２】
2004073346.tif 000014
【図１３】
2004073346.tif 000015
【図１４】
2004073346.tif 000016
【図１５】
2004073346.tif 000017
【図１６】
2004073346.tif 000018
【図１７】
2004073346.tif 000019
【図１８】
2004073346.tif 000020
【図１９】
2004073346.tif 000021
【図２０】
2004073346.tif 000022
【図２１】
2004073346.tif 000023
【図２２】
2004073346.tif 000024
【図２３】
2004073346.tif 000025
【図２４】
2004073346.tif 000026